【手続補正書】
【提出日】令和3年7月14日(2021.7.14)
【手続補正１】
【補正対象書類名】特許請求の範囲
【補正対象項目名】全文
【補正方法】変更
【補正の内容】
【特許請求の範囲】
【請求項１】
異なる波長の光を切り替えて異なるタイミングで光を発生する光源に光学的に結合された出射端を備える照射光学系と、
前記出射端を周回軌道に沿って移動させることで被検体に対する光照射領域を相対移動させる走査部と、
前記被検体からの音響波を受信し電気信号に変換する探触子と、
を有し、
第一の周回において前記出射端から第一の波長の光を照射する照射位置と、前記第一の周回以降に行われる第二の周回において前記出射端から前記第一の波長と異なる第二の波長の光を照射する照射位置と、が重なるように構成されている
ことを特徴とする、光音響装置。
【請求項２】
前記出射端から前記第一または第二の光が照射されるタイミング、前記照射光学系が照射する前記第一または第二の光の波長、および、前記走査部が変更する前記照射光学系の位置、の少なくともいずれかを制御する制御部をさらに有することを特徴とする、請求項１に記載の光音響装置。
【請求項３】
前記走査部は、前記出射端と前記探触子とを一体的に前記被検体に対して相対移動させることを特徴とする、請求項１または２に記載の光音響装置。
【請求項４】
前記第一の波長の光に対応する第一の電気信号に基づいて第一の画像を生成し、前記第二の波長の光に対応する第二の電気信号に基づいて第二の画像を生成する画像生成手段をさらに有する
ことを特徴とする、請求項１から３のいずれか１項に記載の光音響装置。
【請求項５】
前記画像生成手段は、共通の前記照射位置に対応する前記第一の画像と前記第二の画像とに基づいて、前記被検体の内部の機能情報を表す第三の画像を生成することを特徴とする、請求項４に記載に光音響装置。
【請求項６】
前記画像生成手段は、前記共通の照射位置に対応する前記第一の画像および前記第二の画像が共に更新されたことに応じて、前記第三の画像を更新する
ことを特徴とする、請求項５に記載の光音響装置。
【請求項７】
前記画像生成手段は、前記光の照射および前記音響波の受信と平行して前記第一の画像および前記第二の画像の生成を行う
ことを特徴とする、請求項４から６のいずれか１項に記載の光音響装置。
【請求項８】
前記第三の画像は、酸素飽和度に基づく画像を含む
ことを特徴とする、請求項５または６に記載の光音響装置。
【請求項９】
前記照射光学系は、ｎ（ｎ≧２）波長の光を照射可能であり、
一周回あたりの前記光の照射回数をｍとした場合に、前記ｎとｍが互いに素であり、かつ、ｎ＜ｍが成り立つ
ことを特徴とする、請求項１から８のいずれか１項に記載の光音響装置。
【請求項１０】
前記出射端と前記探触子とが一体として構成されるように前記出射端と前記探触子とを支持する支持部をさらに有する
ことを特徴とする、請求項１から９のいずれか１項に記載の光音響装置。
【請求項１１】
前記照射光学系から照射される光の波長が、前記光の照射ごとに切り替わる
ことを特徴とする、請求項１から１０のいずれか１項に記載の光音響装置。
【請求項１２】
前記音響波は、前記出射端からの光の照射により前記被検体から発生する光音響波を含む請求項１から１１のいずれか１項に記載の光音響装置。
【請求項１３】
異なる波長の光を切り替えて異なるタイミングで前記光を被検体上の異なる位置に照射する照射ステップと、
前記光が照射された前記被検体から発生した音響波を受信し、電気信号に変換する変換ステップと、
を含み、
前記照射ステップは、第一の周回において第一の波長の光が照射される照射位置と、前記第一の周回以降に行われる第二の周回において前記第一の波長と異なる第二の波長の光を前記被検体に照射する照射位置と、が重なるように行われる
ことを特徴とする、被検体情報取得方法。
【請求項１４】
前記光が照射されるタイミング、前記照射される前記光の波長、および、前記照射ステップで変更される前記被検体に対する光照射の位置、の少なくともいずれかを制御する制御ステップをさらに有することを特徴とする、請求項１３に記載の被検体情報取得方法。
【請求項１５】
前記照射ステップは、前記光を照射する出射端と前記被検体からの音響波を受信して電気信号に変換する探触子とを一体的に前記被検体に対して相対移動させるように行われることを特徴とする、請求項１３または１４に記載の被検体情報取得方法。
【請求項１６】
前記第一の波長の光に対応する第一の電気信号に基づいて第一の画像を生成し、前記第二の波長の光に対応する第二の電気信号に基づいて第二の画像を生成する画像生成ステップをさらに含む
ことを特徴とする、請求項１３から１５のいずれか１項に記載の被検体情報取得方法。
【請求項１７】
前記画像生成ステップは、共通の前記照射位置に対応する前記第一の画像と前記第二の
画像とに基づいて、前記被検体の内部の機能情報を表す第三の画像を生成するように行われることを特徴とする、請求項１６に記載に被検体情報取得方法。
【請求項１８】
前記画像生成ステップは、前記共通の照射位置に対応する前記第一の画像および前記第二の画像が共に更新されたことに応じて、前記第三の画像を更新するように行われる
ことを特徴とする、請求項１７に記載の被検体情報取得方法。
【請求項１９】
前記画像生成ステップは、前記光の照射および前記音響波の受信と平行して前記第一の画像および前記第二の画像の生成を行うように行われる
ことを特徴とする、請求項１６から１８のいずれか１項に記載の被検体情報取得方法。
【請求項２０】
前記第三の画像は、酸素飽和度に基づく画像を含む
ことを特徴とする、請求項１７または１８に記載の被検体情報取得方法。
【請求項２１】
前記照射ステップは、ｎ（ｎ≧２）波長の光を照射可能であり、
一周回あたりの前記光の照射回数をｍとした場合に、前記ｎとｍが互いに素であり、かつ、ｎ＜ｍが成り立つように行われる
ことを特徴とする、請求項１３から２０のいずれか１項に記載の被検体情報取得方法。
【請求項２２】
前記照射ステップは、前記照射される光の波長が、前記光の照射ごとに切り替わるように行われる
ことを特徴とする、請求項１３から２１のいずれか１項に記載の被検体情報取得方法。
【手続補正２】
【補正対象書類名】明細書
【補正対象項目名】０００７
【補正方法】変更
【補正の内容】
【０００７】
上記課題を解決するための、本発明に係る光音響装置は、
異なる波長の光を切り替えて異なるタイミングで光を発生する光源に光学的に結合された出射端を備える照射光学系と、前記出射端を周回軌道に沿って移動させることで被検体に対する光照射領域を相対移動させる走査部と、前記被検体からの音響波を受信し電気信号に変換する探触子と、を有し、第一の周回において前記出射端から第一の波長の光を照射する照射位置と、前記第一の周回以降に行われる第二の周回において前記出射端から前記第一の波長と異なる第二の波長の光を照射する照射位置と、が重なるように構成されていることを特徴とする。
【手続補正３】
【補正対象書類名】明細書
【補正対象項目名】０００８
【補正方法】変更
【補正の内容】
【０００８】
また、本発明に係る被検体情報取得方法は、
異なる波長の光を切り替えて異なるタイミングで前記光を被検体上の異なる位置に照射する照射ステップと、前記光が照射された前記被検体から発生した音響波を受信し、電気信号に変換する変換ステップと、を含み、前記照射ステップは、第一の周回において第一
の波長の光が照射される照射位置と、前記第一の周回以降に行われる第二の周回において前記第一の波長と異なる第二の波長の光を前記被検体に照射する照射位置と、が重なるように行われることを特徴とする。